(57)【要約】【課題】この発明の乗り場側エレベータ扉の窓清掃装置は、従来のものと比較して多大な時間および労力を要することなく窓を清掃することができる。【解決手段】この発明の乗り場側エレベータ扉の窓清掃装置は、電源１０と、この電源１０に端部が接続された第１の配線１３と、この第１の配線１３に電気的に接続され電源１０からの電気エネルギを送信する送信器１４ａ、１４ｂと、この送信器１４ａ、１４ｂと非接触で扉１に設けられ扉１の開閉に応じて接離するとともに送信器１４ａ、１４ｂからの電気エネルギを受信する受信器１５ａ、１５ｂと、この受信器１５ａ、１５ｂに電気的に接続された第２の配線１６と、この第２の配線１６に接続され電気エネルギにより駆動されるモータ１７と、このモータ１７の駆動力を伝達するリンク機構１８と、このリンク機構１８の端部に設けられ駆動力により窓２の表面上を摺動する清掃部材１９とを備えている。【選択図】        図１
2004182441.tif 000002
【特許請求の範囲】
【請求項１】
乗り場側の扉に設けられた窓の表面上に清掃部材を摺動させて窓の表面を清掃する乗り場側エレベータ扉の窓清掃装置であって、
電源と、
この電源に端部が接続された第１の配線と、
この第１の配線を介して前記電源からの電気エネルギを送信する送信器と、
この送信器と非接触で前記扉に設けられ扉の開閉に応じて接離するとともに送信器からの電気エネルギを受信する受信器と、
この受信器に接続された第２の配線と、
この第２の配線に接続され前記電気エネルギにより駆動されるモータと、
このモータの駆動力を伝達する駆動力伝達手段と、
この駆動力伝達手段の端部に設けられ前記駆動力により前記窓の表面上を摺動する清掃部材と
を備えた乗り場側エレベータ扉の窓清掃装置。
【請求項２】
前記駆動力伝達手段はリンク機構であり請求項１に記載の乗り場側エレベータ扉の窓清掃装置。
【請求項３】
前記駆動力伝達手段はねじ式ジャッキである請求項１に記載の乗り場側エレベータ扉の窓清掃装置。
【請求項４】
前記窓の両側に前記清掃部材を案内するガイドが設けられている請求項１ないし請求項３の何れかに記載の乗り場側エレベータ扉の窓清掃装置。
【請求項５】
前記電源にはタイマが設けられており、このタイマがＯＮ状態になると前記電源の電気エネルギは前記第１の配線を通じて前記発信部に供給されるようになっている請求項１ないし請求項４の何れかに記載の乗り場側エレベータ扉の窓清掃装置。
【発明の詳細な説明】
【０００１】
【発明の属する技術分野】
この発明は、乗り場側の扉に設けられた窓の表面上に清掃部材を摺動させて窓の表面を清掃する乗り場側エレベータ扉の窓清掃装置に関するものである。
【０００２】
【従来の技術】
図６は従来の乗り場側の扉１の窓２を清掃する様子を示す図で、押さえ金具３で固定された窓２の裏面２ａ側（かご側）を清掃ウエス４で清掃している様子を示す。
乗り場側の扉１の窓２の裏面２ａを清掃するには、先ず作業員は、かご（図示せず）に乗り込み、窓２の裏面２ａを清掃する階までかごを移動させ、その階でかごを停止させる。そして、作業員は、かご側の扉（図示せず）を開けて清掃ウエス４で乗り場側の扉１の窓２の裏面２ａの汚れを清掃する。
【０００３】
【発明が解決しようとする課題】
従来では、各階の乗り場側の扉１の窓２の裏面２ａを清掃するに際しては、上記の作業を各階毎に行わなければならず、全階の扉１の窓２を清掃するまでに、多大な時間および労力を要してしまうという問題点があった。
【０００４】
この発明は、かかる問題点を解決することを課題とするものであって、人手を必要とせずして窓を自動的に清掃することができる、乗り場側エレベータ扉の窓清掃装置に関するものである。
【０００５】
【課題を解決するための手段】
この発明に係る乗り場側エレベータ扉の窓清掃装置は、電源と、この電源に端部が接続された第１の配線と、この第１の配線を介して前記電源からの電気エネルギを送信する送信器と、この送信器と非接触で前記扉に設けられ扉の開閉に応じて接離するとともに送信器からの電気エネルギを受信する受信器と、この受信器に接続された第２の配線と、この第２の配線に接続され前記電気エネルギにより駆動されるモータと、このモータの駆動力を伝達する駆動力伝達手段と、この駆動力伝達手段の端部に設けられ前記駆動力により前記窓の表面上を摺動する清掃部材とを備えたものである。
【０００６】
【発明の実施の形態】
以下、この発明の実施の形態について説明するが、同一、同等部材、部位については同一符号を付して説明する。
実施の形態１．
【０００７】
図１はこの発明の実施の形態１の乗り場側エレベータ扉の窓清掃装置を示す概略構成図、図２は図１の扉１の平断面図、図３は図１の窓２の近傍の平断面図である。
この乗り場側エレベータ扉の窓清掃装置は、制御盤１２内に設けられた電源１０およびタイマ１１と、一端部がタイマ１１を介して電源１０に接続された第１の配線１３と、この第１の配線１３の他端部に接続され電源からの電気エネルギを送信する送信器１４ａ、１４ｂと、この送信器１４ａ、１４ｂと非接触で扉１に設けられ扉１の開閉に応じて接離するとともに送信器１４ａ、１４ｂからの電気エネルギを受信する受信器１５ａ、１５ｂと、この受信器１５ａ、１５ｂに一端部が接続された第２の配線１６と、この第２の配線１６の他端部に接続され電気エネルギにより駆動されるモータ１７と、このモータ１７の駆動力を伝達する駆動力伝達手段であるリンク機構１８と、このリンク機構１８の端部に設けられ駆動力により窓２の裏面２ａ上を摺動する、保持板にブラシが取り付けられた清掃部材１９と、窓２の両側に上下方向に延びて設けられ清掃部材１９の上下移動を案内するガイド２０とを備えている。
なお、符号２１は三方枠である。また、送信器１４ａ、１４ｂ、受信器１５ａ、１５ｂ、第２の配線１６、モータ１７、リンク機構１８、清掃部材１９およびガイド２０は各階の扉１毎に設けられている。
【０００８】
上記送信器１４ａ、１４ｂは、充電用のエネルギを出力する送信部を有している。
また、上記受信器１５ａ、１５ｂは、送信器１４ａ、１４ｂと非接触状態で送信部からエネルギの供給を受けそれを直流電流に変換する受信部を有し、さらにその受信部の直流電流で充電される充電可能な二次電池と、この二次電池の放電電流で動作する電子回路とを備えている。受信部は、電気エネルギの供給を受ける伝送媒体と、エネルギを直流電流に変換する直流変換回路とで構成されている。伝送媒体は、容量結合用極板で構成されている。また、伝送媒体は、磁気結合用極板で構成したものであってもよい。
なお、送信器１４ａ、１４ｂおよび受信器１５ａ、１５ｂについては、特開昭６３−５６１３４号公報に示されたものと同様の構成であり、送信器１４ａ、１４ｂは特開昭６３−５６１３４号公報では外部機器１０に相当し、受信器１５ａ、１５ｂは特開昭６３−５６１３４号公報では電子機器２０に相当する。
【０００９】
次に、上記構成の乗り場側エレベータ扉の窓清掃装置の動作について説明する。
先ず、タイマ１１により、エレベータの運転が行われていない夜間等に窓清掃装置が作動するように設定する。
タイマ１１がＯＮ状態になると、第１の配線１３を通じて送信器１４ａ、１４ｂには給電される。そして、扉１が閉じ送信器１４ａ、１４ｂと受信器１５ａ、１５ｂとが接近した状態で、送信器１４ａからは電気エネルギが受信器１５ａに供給され、引き続き配線４０を通じて第２の配線１６を通じてモータ１７に供給される。また、受信器１５ａからは配線４０を通じて電気エネルギが発信器１４ｂに送られ、この発信器１４ｂに接近した受信器１５ｂ、第２の配線１６を通じて隣の扉１のモータ１７にも供給される。その結果、モータ１７は駆動し、その駆動力によりリンク機構１８を介して清掃部材１９はガイド２０に案内されながら上下方向に移動して、窓２の裏面２ａは清掃される。
なお、各階の扉１の窓２の清掃は同時に行うこともできるし、選択した階の扉１のみを清掃することもできる。
【００１０】
このように、この実施の形態の乗り場側エレベータ扉の窓清掃装置では、従来のものと比較して多大な時間および労力を要することなく窓２の裏面２ａを清掃することができる。
また、タイマ１１により、エレベータの使用環境に応じて任意の清掃インターバルを設定でき、例えば夜間、エレベータが使用されていない時間帯に窓２の清掃を行うことができる。
また、送信器１４ａ、１４ｂからの電気エネルギは非接触で受信器１５ａ、１５ｂで受信されるので、開閉する扉１の周囲において三方枠２１からモータ１７に延びる面倒な配線作業を施す必要性は無い。
【００１１】
実施の形態２．
図４はこの発明の実施の形態２の乗り場側エレベータ扉の窓清掃装置を示す概略断面図である。
この実施の形態では、一対の扉１が反対方向に移動する、所謂両開きである点、および送信器１４ａ、１４ｂおよび受信器１５ａ、１５ｂの取り付け位置が実施の形態１と異なるが、実施の形態１と同様の作用、効果を得ることができる。
【００１２】
実施の形態３．
図５はこの発明の実施の形態３の乗り場側エレベータ扉の窓清掃装置を示す概略構成図である。
この実施の形態では、駆動力伝達手段としてねじ式ジャッキ３０を用いている点を除いては実施の形態１と同様であり、実施の形態１と同様の作用、効果を得ることができる。
【００１３】
【発明の効果】
以上説明したように、この発明に係る乗り場側エレベータ扉の窓清掃装置によれば、電源と、この電源に端部が接続された第１の配線と、この第１の配線を介して前記電源からの電気エネルギを送信する送信器と、この送信器と非接触で前記扉に設けられ扉の開閉に応じて接離するとともに送信器からの電気エネルギを受信する受信器と、この受信器に接続された第２の配線と、この第２の配線に接続され前記電気エネルギにより駆動されるモータと、このモータの駆動力を伝達する駆動力伝達手段と、この駆動力伝達手段の端部に設けられ前記駆動力により前記窓の表面上を摺動する清掃部材とを備えたので、従来のものと比較して多大な時間および労力を要することなく窓を清掃できる。
【図面の簡単な説明】
【図１】この発明の実施の形態１の乗り場側エレベータ扉の窓清掃装置を示す概略構成図である。
【図２】図１の扉の平断面図である。
【図３】図１の窓の近傍の扉の平断面図である。
【図４】この発明の実施の形態２の乗り場側エレベータ扉の窓清掃装置を示す平断面図である。
【図５】この発明の実施の形態３の乗り場側エレベータ扉の窓清掃装置を示す概略構成図である。
【図６】従来の乗り場側の扉の窓を清掃する様子を示す図である。
【符号の説明】
１  扉、２  窓、１０  電源、１１  タイマ、１３  第１の配線、１４ａ、１４ｂ  送信器、１５ａ、１５ｂ  受信器、１６  第２の配線、１７  モータ（駆動手段）、１８  リンク機構、１９  清掃部材、２０  ガイド、３０  ねじ式ジャッキ。
【図１】
2004182441.tif 000003
【図２】
2004182441.tif 000004
【図３】
2004182441.tif 000005
【図４】
2004182441.tif 000006
【図５】
2004182441.tif 000007
【図６】
2004182441.tif 000008